(57)【要約】【課題】着脱可能な記録媒体の録音内容が第三者に不正再生されるのを防止すること。【解決手段】ＣＰＵ１５は、所定の条件が満たされるまで着脱可能なメモリカード１００に記録された音声データに対する動作を禁止するデバイスロック機能を有効とする選択が操作スイッチ群２４によりなされた状態で、当該音声記録再生装置の電源が投入されると、暗号化機能を自動的に有効として、入力された音声データを暗号化部１７Ａによって暗号化して上記メモリカード１００に記録する。【選択図】図１
2010026785.tif 000002
【特許請求の範囲】
【請求項１】
着脱可能な記録媒体に音声データを記録する音声記録再生装置であって、
所定の条件が満たされるまで上記音声記録再生装置の動作を禁止するデバイスロック手段と、
入力された音声データを暗号化する暗号化手段と、
上記デバイスロック手段によるデバイスロックを有効とした状態で電源が投入された際に、上記暗号化手段を有効とする暗号化有効手段と、
上記暗号化手段が有効にされ、上記デバイスロックが解除された際に、上記暗号化された音声データを上記着脱可能な記録媒体に記録する記録手段と、
を具備することを特徴とする音声記録再生装置。
【請求項２】
上記暗号化有効手段は、上記暗号化手段を有効とする前に、上記デバイスロック手段によるデバイスロックの設定及び解除するためのパスワードを、上記暗号化手段による暗号の設定及び解除するためのパスワードに設定することを特徴とする請求項１に記載の音声記録再生装置。
【請求項３】
指紋を読み取る指紋センサと、
上記指紋センサで読み取った指紋を登録している指紋登録手段と、
を更に具備し、
上記デバイスロック手段における上記所定の条件は、上記指紋センサによって読み取った指紋の上記指紋登録手段に登録されている指紋との一致であることを特徴とする請求項１に記載の音声記録再生装置。
【請求項４】
着脱可能な記録媒体に音声データを記録する音声記録再生装置であって、
所定の条件が満たされるまで上記音声記録再生装置の動作を禁止するデバイスロック手段と、
上記入力された音声データを暗号化する暗号化手段と、
上記暗号化手段が無効に設定され、かつ、上記デバイスロック手段によるデバイスロックが有効された状態で電源が投入された際に、当該デバイスロック手段によるデバイスロックの設定及びを解除するためのパスワードを、当該暗号化手段による暗号の設定及び解除するためのパスワードに変更するパスワード変更手段と、
上記暗号化手段による暗号の設定及び解除するためのパスワードが上記デバイスロック手段によるデバイスロックの設定及び解除するためのパスワードに設定された後、当該暗号化手段を有効とする暗号化有効手段と、
上記暗号化手段が有効にされ、上記デバイスロックが解除された際に、上記暗号化された音声データを上記着脱可能な記録媒体に記録する記録手段と、
を具備することを特徴とする音声記録再生装置。
【発明の詳細な説明】
【技術分野】
【０００１】
本発明は、着脱可能な記録媒体に音声データを記録する音声記録再生装置に関する。
【背景技術】
【０００２】
従来、第三者による不正操作防止目的で、機器にデバイスロック機能を搭載して、デバイスロックのオン設定時には解除のための操作以外一切の操作受付を停止するようにすることは一般的に行われている。
【０００３】
また、特許文献１には、このデバイスロックの解除を指紋認証により行うデータ記憶装置が提案されている。
【特許文献１】特開２００７−１０９０２７号公報
【発明の開示】
【発明が解決しようとする課題】
【０００４】
音声記録再生装置の場合も、第三者に記録された音声データつまり録音内容が不正に第三者に聞かれたり改竄されたりすることを防止する意味でデバイスロック機構は有効である。
【０００５】
しかしながら、着脱自在なメモリカードを記録媒体とした音声記録再生装置の場合、デバイスロック機能により本機での操作を防止したとしても、メモリカードを抜き取られて他の機器で再生されるのを防ぐことはできず、セキュリティ機能としては中途半端なものとなってしまう。
【０００６】
本発明は、上記の点に鑑みてなされたもので、着脱可能な記録媒体を用いても、第三者による録音内容の不正再生を防止可能な音声記録再生装置を提供することを目的とする。
【課題を解決するための手段】
【０００７】
本発明の音声記録再生装置の一態様は、
着脱可能な記録媒体に音声データを記録する音声記録再生装置であって、
所定の条件が満たされるまで上記音声記録再生装置の動作を禁止するデバイスロック手段と、
上記入力された音声データを暗号化する暗号化手段と、
上記デバイスロック手段によるデバイスロックを有効とした状態で電源が投入された際に、上記暗号化手段を有効とする暗号化有効手段と、
上記暗号化手段が有効にされ、上記デバイスロックが解除された際に、上記暗号化された音声データを上記着脱可能な記録媒体に記録する記録手段と、
を具備することを特徴とする。
【発明の効果】
【０００８】
本発明によれば、デバイスロック手段が有効とされた状態で電源が投入された際は、必ず、暗号化手段が自動的に有効となるように構成したので、デバイスロック手段が有効とされた状態で電源が投入された後に録音された音声データは、常に、暗号化されて記録媒体に記録される。従って、再生には暗号化された音声データの解読が必要となるため、着脱可能な記録媒体を抜き取って他の機器で再生しようとしても暗号の解読ができず、第三者による録音内容の不正再生を防止可能な音声記録再生装置を提供することができる。
【発明を実施するための最良の形態】
【０００９】
以下、本発明を実施するための最良の形態を図面を参照して説明する。
【００１０】
［第１実施形態］
図１は、本発明の第１実施形態に係る音声記録再生装置の構成を示すブロック図である。
【００１１】
まず、本音声記録再生装置において、音声を記録する場合における信号の流れに沿って各ブロックの説明を行う。なお、本明細書において、用語「音声」とは、人の話し声に限られるものではなく、例えば鳥や動物の鳴き声、更に音楽等も含む、オーディオ情報全般を含むものとして使用する。
【００１２】
本実施形態に係る音声記録再生装置は、内部に、入力された音声を電気信号に変換する内蔵マイク１１と、不図示の外部マイクからの信号を入力するマイクジャック１２と、を具備している。そして、これらのうちどちらを使用するかを、入力切換スイッチ（ＳＷ）１３によって選択する。この入力切換スイッチ１３は、基本的に、マイクジャック１２にプラグが挿入されていない場合には内蔵マイク１１を選択しており、プラグが挿入された場合には、マイクジャック１２に切り換えられるメカスイッチである。なお、本実施の形態では、内蔵マイク１１及びマイクジャック１２は、何れも音声チャンネルが一つのモノラルでの入力としている。
【００１３】
そして、上記入力切換スイッチ１３によって選択された内蔵マイク１１または外部マイク音声信号は、プリアンプ１４に入力され、所定の増幅率でもって増幅される。このプリアンプ１４の増幅率あるいは電源供給の制御等は、本音声記録再生装置の動作全体を制御する制御回路であるＣＰＵ１５によって制御されている。
【００１４】
上記プリアンプ１４によって増幅された音声信号は、アナログの音声信号とデジタル信号との間で信号を変換するコーデック（ＣＯＤＥＣ）１６の入力アンプ１６Ａに入力される。音声信号は、この入力アンプ１６Ａで再度増幅された後に、アナログ信号である音声信号をデジタル信号に変換するＡ／Ｄコンバータ１６Ｂに入力される。そして、このＡ／Ｄコンバータ１６Ｂで音声信号はデジタル音声データに変換され、オーディオＩ／Ｆ１６Ｃを介して、デジタル信号処理部（ＤＳＰ）１７へ転送される。
【００１５】
ＤＳＰ１７では、上記ＣＰＵ１５の制御のもとで、入力されたデジタル音声データをフレーム単位で所定のフォーマットに従って符号化（圧縮変換）し、符号化データを生成する。また、ＤＳＰ１７は、暗号化手段としての暗号化部１７Ａを備えており、上記ＣＰＵ１５の制御のもとで、予めユーザによって設定された又はデフォルトの暗号化パスワードをキーとして上記符号化データを暗号化することが可能となっている。暗号化するかしないかは、ユーザの設定により選択できる。但し、その選択は、後述するように、デバイスロック機能がＯＦＦ設定の時のみ有効であり、デバイスロック機能がＯＮ設定となっている場合には、その選択によらず常に暗号化を行うように設定される。
【００１６】
このようにして生成された符号化データ又はその暗号化データが録音データファイルとして、カードコネクタ１８に装着された記録媒体であるメモリカード１００へ転送され、所定のアドレスに順次書き込まれる。このメモリカード１００は、カードコネクタ１８に対して着脱可能なカード形状をした、フラッシュメモリ等の半導体メモリで構成されている。具体的には、Smart Media（登録商標）等があり、本音声記録再生装置ではこれを用いることとする。
【００１７】
次に、上記メモリカード１００に記録された録音データファイルを再生する際の信号の流れに沿って、各ブロックの機能等の説明を行う。
【００１８】
まず、上記メモリカード１００から、ＤＳＰ１７へ録音データを順次転送する。なお、このＤＳＰ１７に転送された録音データファイルが暗号化データであった場合には、上記ＣＰＵ１５の制御のもとで、上記暗号化パスワードをキーとして暗号化を解除され、符号化データに戻される。こうして暗号化が解除された符号化データ又は上記メモリカード１００から転送されてきた暗号化されていない符号化データは、上記ＣＰＵ１５の制御のもとで、所定のフレーム単位でデジタル音声データに復号化（伸張変換）される。このＤＳＰ１７で復号化されたデジタル音声信号は、上記コーデック１６へ転送される。
【００１９】
なお、符号化方式としては、マイクロソフト社（登録商標）のWindows Media（登録商標）方式、Motion Picture Experts Groupe-1 Audio Layer3方式、Digital Speech Standard方式等、複数の符号化方式が知られており、どのような符号化方式を採用しても構わず、また何種類の符号化方式に対応するかは任意である。ただし、符号化は何れか一つの符号化方式を作用したとしても、復号化は複数種類の符号化方式に対して行えるようにしておけば、他の機器で上記メモリカード１００に記録された符号化データを再生可能となるので、ユーザの利便性の点から好ましい。そこで、ＤＳＰ１７では、メモリカード１００から送られてき（て暗号化が解除され）た符号化データに対して、どの符号化方式が用いられているのかを判別し、その符号化方式に従って符号化データを復号化する。
【００２０】
コーデック１６に転送されたデジタル音声データは、Ｄ／Ａコンバータ１６Ｄにおいてデジタル音声データからアナログの音声信号への変換が行われ、出力アンプ１６Ｅ，１６Ｆで信号の増幅が行われ、該コーデック１６から出力される。
【００２１】
上記コーデック１６から出力された音声信号の出力先には、外部イヤホン等を接続して外部の再生機器を用いて音声信号を再生するイヤホンジャック１９と、本音声記録再生装置本体に備えられたスピーカ２０との二つが用意されている。イヤホンジャック１９は上記出力アンプ１６Ｅに接続されており、該出力アンプ１６Ｅはそのイヤホンジャック１９からの出力にあわせた増幅率で音声信号を増幅する。また、スピーカ２０は上記出力アンプ１６Ｆに接続されており、該出力アンプ１６Ｆはそのスピーカ２０に適正な増幅率で音声信号を増幅する。なお、コーデック１６の出力アンプ１６Ｅ，１６Ｆ及び上記入力アンプ１６Ａの増幅率、Ａ／Ｄコンバータ１６Ｂ及びＤ／Ａコンバータ１６Ｄの動作は、制御Ｉ／Ｆ１６Ｇを介してＣＰＵ１５によって制御される。
【００２２】
また、上記ＤＳＰ１７には、上述したものの他にも、表示部２１、ＵＳＢコントローラ２２、指紋センサ２３等のいくつかのブロックが接続されている。
【００２３】
表示部２１は、２色ＬＥＤと、バックライトを有する液晶ディスプレイ（ＬＣＤ）とで構成されていて、本音声記録再生装置の動作状態等を表示する。
【００２４】
ＵＳＢコントローラ２２は、本音声記録再生装置をパーソナルコンピュータ（ＰＣ）等の外部装置と通信を行うためのものである。本音声記録再生装置は外部装置と接続し、双方向通信を行うことで、例えば、ＰＣのハードディスク等に記録されている録音データファイルをメモリカード１００に転送したり、その逆に、メモリカード１００に記録されている録音データファイルをＰＣ側の記録媒体に転送したり、あるいは、内蔵マイク１１から入力された音声信号をコーデック１６でデジタル音声データに変換し、ＤＳＰ１７で符号化した符号化データを直接ＰＣ側の記録媒体に記録するようにしたりするなど、この他にも様々な処理を行うことができるようになる。ＰＣ等の外部装置との通信のために、本実施形態における音声記録再生装置では、Universal Serial Bus（ＵＳＢ）と呼ばれるインターフェースを介して外部装置と接続するように構成されている。
【００２５】
また、指紋センサ２３は、指紋の読み取りを行うものである。
【００２６】
一方、上記ＣＰＵ１５には、上述したものの他にも、操作スイッチ群２４、電源回路２５、内蔵メモリ２６等のいくつかのブロックが接続されている。
【００２７】
操作スイッチ群２４の詳細は、後述するが、本音声記録再生装置の外装に設けられていて、本音声記録再生装置の各種機能を制御するための操作スイッチであり、新規ファイル作成釦、ＯＫ釦／ＭＥＮＵ釦、上釦／音量アップ釦、下釦／音量ダウン釦、左釦／早戻し釦、右釦／早送り釦、消去釦、Ｆ１釦、Ｆ２釦、Ｆ３釦、スライドスイッチ、電源スイッチ等で構成されている。
【００２８】
電源回路２５は、本音声記録再生装置を駆動するための電力を供給するための回路で、バッテリ、バッテリチェック回路、パワーオンリセット回路、昇圧回路、降圧回路、及び外部電源接続回路等の電源制御に関する回路を含む。
【００２９】
内蔵メモリ２６は、本音声記録再生装置に内蔵されている書き換え可能な不揮発性メモリであるＥＥＰＲＯＭで構成されており、ユーザＩＤ、上記暗号化パスワード、デバイスロックパスワード、ユーザの指紋パターン、録音モード（標準モード／長時間モード）の選択設定、ＢＥＥＰ音（ＯＮ／ＯＦＦ）の選択設定、データの再生位置、等のＣＰＵ１５に電源が供給されなくなっても記録しておきたい各種設定、パラメータ等を記録しておくものである。
【００３０】
次に、本音声記録再生装置の外観を図２（Ａ）及び（Ｂ）を用いて説明する。図２（Ａ）は、本実施形態に係る音声記録再生装置の外観を斜め前方から見た図であり、図２（Ｂ）は斜め後方から見た図である。
【００３１】
音声記録再生装置本体の正面には、上記表示部２１のＬＣＤの表示窓２１Ａが配置されている。この表示窓２１Ａは、ＬＣＤ表示装置で構成されており、電池残量、録音モード、ファイル番号、ユーザＩＤ、各種時刻表示、動作状態表示など様々な表示を行うことができる。また、各操作釦を操作したときには数秒間バックライトが点灯するようになっている。
【００３２】
次に、前述した操作スイッチ群２４の説明をする。  
新規ファイル作成釦２４Ａは、停止（ＳＴＯＰモード）時に、音声の記録の開始（ＲＥＣモードへ移行）を指示するための釦である。
【００３３】
ＯＫ釦／ＭＥＮＵ釦２４Ｂは、停止（ＳＴＯＰモード）時に、録音モードの設定、時計の設定、ユーザＩＤの設定など本音声記録再生装置に関わる諸設定を行うためのＭＥＮＵモードへの移行を指示するための釦であり、また、メニュー選択（ＭＥＮＵモード）時には、現在選択中の項目の決定を指示するための釦である。
【００３４】
上釦／音量アップ釦２４Ｃは、メニュー選択（ＭＥＮＵモード）時には、表示窓２１Ａに表示されたメニュー項目の選択位置や、ユーザＩＤやパスワード設定のために表示窓２１Ａに表示された数字やアルファベットの選択位置の一つ上への移動を指示するための釦であり、再生（ＰＬＡＹモード）時には、イヤホンジャック１９及びスピーカ２０からの出力レベルのアップを指示するための釦である。下釦／音量ダウン釦２４Ｄは、メニュー選択（ＭＥＮＵモード）時には、表示窓２１Ａに表示されたメニュー項目の選択位置や、ユーザＩＤやパスワード設定のために表示窓２１Ａに表示された数字やアルファベットの選択位置の一つ下への移動を指示するための釦であり、再生（ＰＬＡＹモード）時には、イヤホンジャック１９及びスピーカ２０からの出力レベルのダウンを指示するための釦である。
【００３５】
左釦／早戻し釦２４Ｅは、表示窓２１Ａに表示されたメニュー項目の選択位置や、ユーザＩＤやパスワード設定のために表示窓２１Ａに表示された数字やアルファベットの選択位置の一つ左への移動を指示したり、パラメータをデクリメントしたりするための釦であり、再生（ＰＬＡＹモード）時には、再生中の音声データの早戻しを行ったり、再生する録音データファイルの選択を行う際にファイル番号をデクリメントしたりするための釦である。右釦／早送り釦２４Ｆは、表示窓２１Ａに表示されたメニュー項目の選択位置や、ユーザＩＤやパスワード設定のために表示窓２１Ａに表示された数字やアルファベットの選択位置の一つ右への移動を指示したり、パラメータをインクリメントしたりするための釦であり、再生（ＰＬＡＹモード）時には、再生中の音声データの早送りを行ったり、再生する録音データファイルの選択を行う際にファイル番号をインクリメントしたりするための釦である。
【００３６】
消去釦２４Ｇは、左釦／早戻し釦２４Ｅ又は右釦／早送り釦２４Ｆ等を用いて選択されている録音データファイルをメモリカード１００から消去するための釦である。具体的には、消去したい録音データファイルを選択して、一度消去釦２４Ｇを押すと、表示窓２１Ａに消去しようとしている録音データファイルが点滅表示されるので、点滅表示している間にもう一度消去釦２４Ｇを押すという動作を行う。これにより、所望の録音データファイルをメモリカード１００から消去することができる。
【００３７】
Ｆ１釦２４Ｈ、Ｆ２釦２４Ｉ及びＦ３釦２４Ｊは、モードにより釦機能が切り替わるファンクションキーであり、どのような釦機能となっているかは、表示窓２１Ａの最下行に表示されるようになっている。
【００３８】
即ち、録音（ＲＥＣモード）時には、Ｆ１釦２４Ｈは、口述記録等において録音中の録音データファイルとは別にタイピストへの指示を録音することを指示するための指示録音釦として、Ｆ２釦２４Ｉは、表示切り換えを指示するための表示切り換え釦として、Ｆ３釦２４Ｊは、録音中の録音データファイルへのインデックスマークの付加を指示するインデックスマーク釦として、それぞれ機能する。
【００３９】
また、再生（ＰＬＡＹモード）時には、Ｆ１釦２４Ｈは、その再生中の録音データファイルへの挿入録音を指示するための挿入録音釦として、Ｆ２釦２４Ｉは、再生スピードの切り換えを指示するための再生スピード釦として、Ｆ３釦２４Ｊは、再生中の録音データファイルへのインデックスマークの付加を指示するインデックスマーク釦として、それぞれ機能する。
【００４０】
そして、メニュー選択（ＭＥＮＵモード）時には、Ｆ１釦２４Ｈは、メニューを一つ前のメニューに戻す指示を行うためのＢＡＣＫ釦として、Ｆ３釦２４Ｊは、ＭＥＮＵモードの終了を指示するためのＥＸＩＴ釦として、それぞれ機能する。なお、Ｆ２釦２４Ｉは、このメニュー選択（ＭＥＮＵモード）時には、機能が与えられない。
【００４１】
なお、上記各種操作釦は押し釦スイッチとなっており、押圧の操作でスイッチ状態がＯＮとなるように構成されているものとする。
【００４２】
また、スライドスイッチ２４Ｋは、その操作位置により、停止、再生、早戻しを切り換え指示するためのスイッチである。即ち、該スライドスイッチ２４Ｋが停止位置に操作されると、本音声記録再生装置が記録、再生等の動作中である場合に、それらの動作の停止を指示する。また、該スライドスイッチ２４Ｋが再生位置に操作されると、上記左釦／早戻し釦２４Ｅ又は右釦／早送り釦２４Ｆで選択された録音データファイルの再生開始を指示する。そして、該スライドスイッチ２４Ｋが早戻し位置に操作されると、再生中の音声データの早戻しを指示する。
【００４３】
電源スイッチ２４Ｌは、本音声記録再生装置の動作をＯＮ／ＯＦＦするスイッチである。  
以上が上記操作スイッチ群２４に相当する。
【００４４】
インジケータＬＥＤ２１Ｂは、主に再生または記録動作の状態を表示するもので、上記表示部２１の一部である２色ＬＥＤが用いられている。再生中には緑色に点灯し、記録中は赤色に点灯するように構成されている。また、インジケータＬＥＤ２１Ｂは、警告表示にも用いられ、何らかの理由でユーザに対して警告を発するときは赤色の点滅表示を行う。
【００４５】
メモリカードスロット２７は、メモリカード１００を挿入する上記カードコネクタ２７のための開口部である。
【００４６】
電池蓋２８は、図示しない電池室を覆っている蓋であり、上記電源回路２５は、この電池室内に収容された電池を用いて各部ロックに必要な電圧を発生する。上記電池蓋２８は、閉じるとロックされるよう構成されており、そのロックの解除は電池蓋リリース釦２９の操作によって行われる。
【００４７】
なお、本音声記録再生装置の図示しない側面には、ＰＣ等の外部装置に接続して通信を行うためのＵＳＢ端子が設けられている。その他、内蔵マイク１１の感度の切り換えを指示するためのマイク感度スイッチ、設定した感度よりも大きな音声を感知すると自動的に録音が開始され、上記感度よりも音声が小さくなると自動的に録音を一時停止するという音声起動録音を行うか否かを指示するための音声起動録音スイッチ、各スイッチの操作を無効とし、現在の状態を保持させるよう指示するためのホールドスイッチ、上記メモリカード１００に複数フォルダが構成されている場合に、録音や再生を行うフォルダを指定するためのフォルダスイッチ、等が配置されている。
【００４８】
次に、本実施形態に係る音声記録再生装置の動作について説明する。  
図３は、上記電源スイッチ２４Ｌが投入されて本音声記録再生装置の動作をＯＮとしたときの動作フローチャートを示す図である。
【００４９】
即ち、ＣＰＵ１５はまず、内部レジスタや必要なブロックへの電源供給指示等の初期設定を行った後（ステップＳ１１）、内蔵メモリ２６に保存されているデバイスロック機能のＯＮ／ＯＦＦ状態をチェックして、デバイスロック機能がＯＮ設定されているか否かを判別する（ステップＳ１２）。
【００５０】
ここで、デバイスロック機能がＯＦＦ設定となっていれば、更に、内蔵メモリ２６に保存されている暗号化機能のＯＮ／ＯＦＦ状態をチェックして、暗号化機能がＯＮ設定されているか否かを判別する（ステップＳ１３）。そして、暗号化機能がＯＮ設定となっていれば、暗号化機能を有効として（ステップＳ１４）、ＳＴＯＰモードに移行する（ステップＳ１５）。また、暗号化機能がＯＦＦ設定となっている場合には、直ちに上記ステップＳ１５に進んでＳＴＯＰモードに移行する。
【００５１】
一方、上記ステップＳ１２においてデバイスロック機能がＯＮ設定となっていれば、更に、内蔵メモリ２６に保存されている暗号化機能のＯＮ／ＯＦＦ状態をチェックして、暗号化機能がＯＮ設定されているか否かを判別する（ステップＳ１６）。そして、暗号化機能がＯＮ設定となっている場合には、暗号化機能を有効として（ステップＳ１７）、デバイスロックパスワードの入力又は指紋スキャン待ちとなる（ステップＳ１８）。このように、ＣＰＵ１５は、デバイスロックを有効とした状態で電源が投入された際に、上記暗号化手段を有効とする暗号化有効手段として機能する。
【００５２】
また、上記ステップＳ１６において暗号化機能がＯＦＦ設定となっている場合には、内蔵メモリ２６に保存されているデバイスロックパスワードの登録データを、暗号化パスワードに設定して、内蔵メモリ２６に登録する（ステップＳ１９）。その後、暗号化機能を有効として（ステップＳ１７）、デバイスロックパスワードの入力又は指紋スキャン待ちとなる（ステップＳ１８）。このように、ＣＰＵ１５は、暗号化が無効に設定され、かつ、デバイスロックが有効された状態で電源が投入された際に、当該デバイスロックの設定及びを解除するためのパスワードを、上記暗号化手段による暗号の設定及び解除するためのパスワードに変更するパスワード変更手段として機能する。
【００５３】
そして、上記ステップＳ１８のデバイスロックパスワードの入力又は指紋スキャン待ち状態において、デバイスロックパスワードの入力又は指紋スキャンが有ると、それが操作スイッチ群２４の操作によるデバイスロックパスワードの入力であれば（ステップＳ２０）、その入力されたデバイスロックパスワードが内蔵メモリ２６に保存されているデバイスロックパスワードの登録データと一致するか否かを判別する（ステップＳ２１）。その結果、入力されたデバイスロックパスワードと登録データとが一致すれば、デバイスロックを解除して（ステップＳ２２）、上記ステップＳ１５に進んでＳＴＯＰモードに移行する。
【００５４】
これに対して、入力されたデバイスロックパスワードが登録データに一致しない場合には、表示窓２１Ａにエラー表示を行う（ステップＳ２３）。そして、不一致回数が所定回数以下であるか否かを判別し（ステップＳ２４）、所定数以下であれば、後述するステップＳ２６に進む。また、上記所定回数を越える回数、不一致となってしまった場合には、完全ロック状態に移行する（ステップＳ２５）。この完全ロック状態とは、パスワードの入力を含めて、全ての操作の受付を停止するモードであり、特殊な操作をしないと解除できないモードである。
【００５５】
このように、ＣＰＵ１５は、操作スイッチ群２４から入力されたデバイスロックパスワードが内蔵メモリ２６に保存されているパスワードの登録データに一致するという所定の条件が満たされるまで、当該音声記録再生装置の動作を禁止するデバイスロック手段として機能する。
【００５６】
また、上記ステップＳ１８のデバイスロックパスワードの入力又は指紋スキャン待ち状態において、デバイスロックパスワードの入力又は指紋スキャンが有ると、それがＤＳＰ１７を介して検出された指紋センサ２３による指紋スキャンであれば（ステップＳ２６）、そのスキャンされた指紋が内蔵メモリ２６に保存されているユーザの指紋パターンの登録データと一致するか否かを判別する（ステップＳ２７）。その結果、スキャンされた指紋と登録データとが一致すれば、上記ステップＳ２２に進んでデバイスロックを解除した後、上記ステップＳ１５に進んでＳＴＯＰモードに移行する。
【００５７】
これに対して、スキャンされた指紋が登録データに一致しない場合には、表示窓２１Ａにエラー表示を行う（ステップＳ２８）。そして、不一致回数が所定回数以下であるか否かを判別し（ステップＳ２９）、所定数以下であれば、上記ステップＳ１８に戻ってデバイスロックパスワードの入力又は指紋スキャン待ちとなる。そして、上記所定回数を越える回数、不一致となってしまった場合には、完全ロック状態に移行する（ステップＳ３０）。
【００５８】
このように、ＣＰＵ１５は、指紋センサ２３でスキャンされた指紋が、指紋登録手段としての内蔵メモリ２６に登録されている指紋に一致するという所定の条件が満たされるまで、当該音声記録再生装置の動作を禁止するデバイスロック手段として機能する。
【００５９】
図４（Ａ）は、上記ステップＳ１５のＳＴＯＰモードでの動作フローチャートを示す図である。
【００６０】
即ち、このＳＴＯＰモードにおいては、ＣＰＵ１５は、まず、ＯＫ／ＭＥＮＵ釦２４Ｂが操作されたか否かを判別する（ステップＳ１５１）。そして、そのＯＫ／ＭＥＮＵ釦２４Ｂが操作された場合には、ＭＥＮＵモードに移行して、詳細は後述するようなＭＥＮＵ処理を実行する（ステップＳ１５２）。
【００６１】
また、ＯＫ／ＭＥＮＵ釦２４Ｂが操作されていない場合には、ＣＰＵ１５は、次に、新規ファイル作成釦２４Ａが操作されたか否かを判別する（ステップＳ１５３）。そして、その新規ファイル作成釦２４Ａが操作された場合には、ＲＥＣモードに移行して、詳細は後述するようなＲＥＣ処理を実行する（ステップＳ１５４）。
【００６２】
また、新規ファイル作成釦２４Ａが操作されていない場合には、ＣＰＵ１５は、更に、スライドスイッチ２４Ｋが再生位置に操作されたか否かを判別する（ステップＳ１５５）。そして、そのスライドスイッチ２４Ｋが再生位置に操作された場合には、ＰＬＡＹモードに移行して、詳細は後述するようなＰＬＡＹ処理を実行する（ステップＳ１５６）。
【００６３】
図４（Ｂ）は、上記ステップＳ１５２のＭＥＮＵ処理の動作フローチャートを示す図である。
【００６４】
即ち、このＭＥＮＵ処理においては、ＣＰＵ１５は、まず、表示窓２１Ａにメニュー画面を表示し、操作スイッチ群２４の操作によるメニュー項目の選択を受け付ける（ステップＳ１５２１）。
【００６５】
そして、操作スイッチ群２４の操作によってデバイスロック設定が選択されると（ステップＳ１５２２）、詳細は後述するようなデバイスロック設定処理を実行する（ステップＳ１５２３）。このデバイスロック設定処理が終了したならば、ＥＸＩＴ釦として機能するＦ３釦２４Ｊの操作によるＭＥＮＵモードの終了が指示されたか否かを判別する（ステップＳ１５２４）。そして、ＭＥＮＵモードの終了が指示されていなければ、上記ステップＳ１５２１に戻ってメニュー項目の選択を受け付ける。また、ＭＥＮＵモードの終了が指示された場合には、該ＭＥＮＵ処理を終了して上記ＳＴＯＰモードに戻る。
【００６６】
また、操作スイッチ群２４の操作によって暗号化設定が選択されると（ステップＳ１５２５）、詳細は後述するような暗号化設定処理を実行する（ステップＳ１５２６）。そして、この暗号化設定処理が終了したならば、上記ステップＳ１５２４に進んでＭＥＮＵモードの終了判別を行うこととなる。
【００６７】
なお、操作スイッチ群２４の操作によって、ユーザの指紋パターンの登録等、他のＭＥＮＵ項目が選択された場合には（ステップＳ１５２７）、その選択されたＭＥＮＵ項目の設定処理を実行することとなる（ステップＳ１５２８）。該他の選択されたＭＥＮＵ項目の設定処理については、一般的な処理であるので、その詳細説明は省略する。
【００６８】
図５（Ａ）は、上記ステップＳ１５２３のデバイスロック設定処理の動作フローチャートを示す図である。
【００６９】
即ち、このデバイスロック設定処理においては、ＣＰＵ１５は、操作スイッチ群２４の操作によりデバイスロックパスワードを変更する選択がなされたか否かを判別する（ステップＳ１５２３１）。そして、デバイスロックパスワードを変更する選択がなされた場合には、操作スイッチ群２４の操作によるデバイスロックパスワードの入力を受け付けて、デバイスロックパスワードが変更されたか否かを判別する（ステップＳ１５２３２）。ここで、デバイスロックパスワードが変更されたならば、その変更されたデバイスロックパスワードを内蔵メモリ２６に登録する（ステップＳ１５２３３）。なお、内蔵メモリ２６には予めデバイスロックパスワードのデフォルト値が登録されている。そして、上記ステップＳ１５２３１でデバイスロックパスワードを変更する選択がなされなかった場合や、上記ステップＳ１５２３２において入力されたデバイスロックパスワードがデフォルト値と同じであったり、ＢＡＣＫ釦として機能しているＦ１釦２４Ｈが操作されて、デバイスロックパスワードの変更が無いと判別した場合には、内蔵メモリ２６に保存されたデバイスロックパスワードは変更されないので、そのデフォルト値又は先に変更して登録されているデバイスロックパスワードが使用されることとなる。
【００７０】
上記ステップＳ１５２３１でデバイスロックパスワードを変更する選択がなされなかった場合、あるいは上記ステップＳ１５２３２でデバイスロックパスワードの変更がなかった場合、又は上記ステップＳ１５２３３においてデバイスロックパスワードの設定が済んだならば、次に、操作スイッチ群２４の操作によりデバイスロックをＯＮにする選択がなされたか否かを判別する（ステップＳ１５２３４）。そして、デバイスロックをＯＮにする選択がなされた場合には、デバイスロック機能をＯＮに設定して、内蔵メモリ２６に登録する（ステップＳ１５２３５）。また、デバイスロックをＯＦＦにする選択がなされた場合には、デバイスロック機能をＯＦＦに設定して、内蔵メモリ２６に登録する（ステップＳ１５２３６）。こうしてデバイスロック機能の設定処理が終了したならば、上記ステップＳ１５２４に進んでＭＥＮＵモードの終了判別を行うこととなる。
【００７１】
図５（Ｂ）は、上記ステップＳ１５２６の暗号化設定処理の動作フローチャートを示す図である。
【００７２】
即ち、この暗号化設定処理においては、ＣＰＵ１５は、操作スイッチ群２４の操作により暗号化パスワードを変更する選択がなされたか否かを判別する（ステップＳ１５２６１）。そして、暗号化パスワードを変更する選択がなされた場合には、操作スイッチ群２４の操作による暗号化パスワードの入力を受け付けて、暗号化パスワードが変更されたか否かを判別する（ステップＳ１５２６２）。ここで、暗号化パスワードが変更されたならば、その変更された暗号化パスワードを内蔵メモリ２６に登録する（ステップＳ１５２６３）。なお、内蔵メモリ２６には予め暗号化パスワードのデフォルト値が登録されている。また、デバイスロック機能がＯＮ設定されていて暗号化機能がＯＦＦ設定されている場合には、上記ステップＳ１９においてデバイスロックパスワードがこの暗号化パスワードとして登録されるは前述した通りである。そして、上記ステップＳ１５２６１で暗号化パスワードを変更する選択がなされなかった場合や、上記ステップＳ１５２６２において入力された暗号化パスワードがデフォルト値と同じであったり、ＢＡＣＫ釦として機能しているＦ１釦２４Ｈが操作されて、暗号化パスワードの変更が無いと判別した場合には、内蔵メモリ２６に保存された暗号化パスワードは変更されないので、そのデフォルト値又は先に変更して登録されている暗号化パスワードが使用されることとなる。
【００７３】
上記ステップＳ１５２６１で暗号化パスワードを変更する選択がなされなかった場合、あるいは上記ステップＳ１５２６２で暗号化パスワードの変更がなかった場合、又は上記ステップＳ１５２６３において暗号化パスワードの設定が済んだならば、次に、操作スイッチ群２４の操作により暗号化機能をＯＮにする選択がなされたか否かを判別する（ステップＳ１５２６４）。そして、暗号化機能をＯＮにする選択がなされた場合には、暗号化機能をＯＮに設定して、内蔵メモリ２６に登録する（ステップＳ１５２６５）。また、暗号化機能をＯＦＦにする選択がなされた場合には、暗号化機能をＯＦＦに設定して、内蔵メモリ２６に登録する（ステップＳ１５２６６）。こうして暗号化機能の設定処理が終了したならば、上記ステップＳ１５２４に進んでＭＥＮＵモードの終了判別を行うこととなる。
【００７４】
図６は、上記ステップＳ１５４のＲＥＣ処理の動作フローチャートを示す図である。
【００７５】
即ち、このＲＥＣ処理においては、ＣＰＵ１５は、まず、メモリカード１００の空き容量や電池残量等の録音開始条件をクリアしているか否かを判別し（ステップＳ１５４１）、録音開始条件をクリアしていない場合には、表示窓２１Ａにエラー表示を行うと共にスピーカ２０よりエラーアラームを出力させて（ステップＳ１５４２）、該ＲＥＣ処理を終了して上記ＳＴＯＰモードに戻る。
【００７６】
これに対して、録音開始条件をクリアしていれば、録音動作を開始する（ステップＳ１５４３）。そして、内蔵メモリ２６に保存されている暗号化機能の設定が有効（ＯＮ）となっているか否かを判別し（ステップＳ１５４４）、無効（ＯＦＦ）に設定されていれば、ＤＳＰ１７により符号化した符号化データを録音データとしてメモリカード１００に記録していく（ステップＳ１５４５）。即ち、録音データファイルの内容を更新していく。また、暗号化機能が有効（ＯＮ）に設定されていれば、内蔵メモリ２６に保存されている暗号化パスワードをキーとして録音データを暗号化する、つまり、ＤＳＰ１７の暗号化部１７Ａにより符号化データを暗号化した暗号化データを生成する（ステップＳ１５４６）。そして、その生成した暗号化データを録音データとしてメモリカード１００に記録していく（ステップＳ１５４５）。
【００７７】
なお、前述したように、暗号化機能を有効（ＯＮ）とする設定は、上記ステップＳ１５２６での暗号化設定処理や上記ステップＳ１３及びＳ１４のユーザ選択による設定だけによるのではなく、当該音声記録再生装置の動作開始時に、デバイスロック機能がＯＮ設定であれば（ステップＳ１２）、暗号化機能の設定に係わらず、上記ステップＳ１７において暗号化機能が有効に設定されるようになっている。
【００７８】
従って、ＣＰＵ１５は、暗号化手段が有効にされ、デバイスロックが解除された際に、暗号化された音声データをメモリカード１００に記録する記録手段として機能するものである。
【００７９】
その後、スライドスイッチ２４Ｋが停止位置に操作されたか否かを判別する（ステップＳ１５４７）。そして、そのスライドスイッチ２４Ｋが停止位置に操作された場合には、該ＲＥＣ処理を終了して上記ＳＴＯＰモードに戻る。
【００８０】
また、スライドスイッチ２４Ｋが停止位置に操作されていない場合には、更に、メモリカード１００の空き容量が所定値以下となったか否か、つまりフル状態となったか否かを判別する（ステップＳ１５４８）。未だフル状態となっていなければ、上記ステップＳ１５４４に戻って録音を続ける。これに対して、メモリカード１００がフル状態となった場合には、表示窓２１Ａにエンド表示を行うと共にスピーカ２０よりエンドアラームを出力させて（ステップＳ１５４９）、該ＲＥＣ処理を終了して上記ＳＴＯＰモードに戻る。
【００８１】
図７は、上記ステップＳ１５６のＰＬＡＹ処理の動作フローチャートを示す図である。
【００８２】
即ち、このＰＬＡＹ処理においては、ＣＰＵ１５は、まず、電池残量等の再生開始条件をクリアしているか否かを判別し（ステップＳ１５６１）、再生開始条件をクリアしていない場合には、表示窓２１Ａにエラー表示を行うと共にスピーカ２０よりエラーアラームを出力させて（ステップＳ１５６２）、該ＰＬＡＹ処理を終了して上記ＳＴＯＰモードに戻る。
【００８３】
これに対して、再生開始条件をクリアしていれば、再生を指示されたメモリカード１００の再生対象録音データファイルに暗号化処理が施されているか否かを判別する（ステップＳ１５６３）。暗号化処理が施されていなければ、再生対象録音データファイルを再生、つまりＤＳＰ１７により符号化データを復号化して、コーデック１６を介してスピーカ２０等で音声として出力していく（ステップＳ１５６４）。その後、スライドスイッチ２４Ｋが停止位置に操作されたか否かを判別する（ステップＳ１５６５）。そして、そのスライドスイッチ２４Ｋが停止位置に操作された場合には、該ＰＬＡＹ処理を終了して上記ＳＴＯＰモードに戻る。
【００８４】
また、スライドスイッチ２４Ｋが停止位置に操作されていない場合には、更に、再生対象録音データファイルのエンド位置まで再生したか否かを判別する（ステップＳ１５６６）。そして、エンド位置まで再生が終わった場合には、該ＰＬＡＹ処理を終了して上記ＳＴＯＰモードに戻る。
【００８５】
これに対して、未だエンド位置まで再生されていなければ、再生を指示されたメモリカード１００の再生対象録音データファイルに暗号化処理が施されているか否かを判別する（ステップＳ１５６７）。そして、暗号化処理が施されていなければ、上記ステップＳ１５６４に戻って再生を続ける。
【００８６】
一方、上記ステップＳ１５６３において再生対象録音データファイルに暗号化処理が施されていると判別した場合には、内蔵メモリ２６に保存されている暗号化パスワードが、当該録音データである暗号化データの暗号化パスワードと一致するか否かを判別する（ステップＳ１５６８）。ここで、暗号化パスワードが一致しない場合には、表示窓２１Ａにパスワードエラー表示を行うと共にスピーカ２０よりエラーアラームを出力させて（ステップＳ１５６９）、該ＰＬＡＹ処理を終了して上記ＳＴＯＰモードに戻る。
【００８７】
これに対して、暗号化パスワードが一致する場合には、暗号化パスワードをキーとして暗号化データの暗号化を解除する、つまり、ＤＳＰ１７の暗号化部１７Ａにより暗号化データを符号化データに戻す（ステップＳ１５６１０）。そして、上記ステップＳ１５６４に進んでその暗号化を解除した符号化データをＤＳＰ１７により復号化して、コーデック１６を介してスピーカ２０等で音声として出力する。その後、スライドスイッチ２４Ｋが停止位置に操作されず（ステップＳ１５６５）、また、未だエンド位置まで再生されていなければ（ステップＳ１５６６）、上記ステップＳ１５６７において、再生を指示されたメモリカード１００の再生対象録音データファイルに暗号化処理が施されているか否かを判別する。そして、この場合、暗号化処理が施されていると判定されるが、既に暗号化パスワードの一致判定は済んでいるので、上記ステップＳ１５６８ではなく上記ステップＳ１５６１０に戻って、録音データの未再生部分の暗号化の解除を行うこととなる。
【００８８】
以上のように、本実施形態によれば、デバイスロック機能が有効とされた状態で電源が投入された際は、必ず、暗号化機能が自動的に有効となるように構成したので、デバイスロック機能が有効とされた状態で電源が投入された後に録音された音声データは、常に暗号化されて記録媒体に記録される。そして、その再生には暗号化された音声データの解読が必要となるため、着脱可能なメモリカード１００が音声記録再生装置から抜き取られて他の機器で再生しようとしても、暗号の解読ができず、第三者による録音内容の不正再生を防止することが可能となる。
【００８９】
また、デバイスロックに指紋認証機能を用いることで、非常に高いセキュリティを確保できる。なお、指紋認証機能を用いる場合には、通常の操作スイッチ群２４の操作によるデバイスロック機能の解除が無効となるようにしておけば、更にセキュリティを高めることが可能となる。
【００９０】
また、デバイスロック機能を使用しない場合には、暗号化機能を有効とするか無効とするかをユーザが任意に設定できるので、ユーザの様々な使用法に対応可能である。
【００９１】
［第２実施形態］
次に、本発明の第２実施形態に係る音声記録再生装置について、上記第１実施形態に係る音声記録再生装置と異なる部分のみを説明する。
【００９２】
図８は、電源スイッチが投入されて本発明の第２実施形態に係る音声記録再生装置の動作をＯＮとしたときの動作フローチャートを示す図である。
【００９３】
即ち、ＣＰＵ１５はまず、内部レジスタや必要なブロックへの電源供給指示等の初期設定を行った後（ステップＳ１１）、内蔵メモリ２６に保存されている暗号化機能のＯＮ／ＯＦＦ状態をチェックして、暗号化機能がＯＮ設定されているか否かを判別する（ステップＳ３１）。そして、暗号化機能がＯＦＦ設定となっていれば、更に、内蔵メモリ２６に保存されているデバイスロック機能のＯＮ／ＯＦＦ状態をチェックして、デバイスロック機能がＯＮ設定されているか否かを判別する（ステップＳ３２）。ここで、デバイスロック機能がＯＦＦ設定となっていれば、ＳＴＯＰモードに移行する（ステップＳ１５）。
【００９４】
これに対して、デバイスロック機能がＯＮ設定となっていれば、内蔵メモリ２６に保存されているデバイスロックパスワードの登録データを、暗号化パスワードに設定して、内蔵メモリ２６に登録する（ステップＳ３３）。その後、暗号化機能を有効として（ステップＳ３４）、デバイスロックパスワードの入力又は指紋スキャン待ちとなる（ステップＳ１８）。
【００９５】
一方、上記ステップＳ３１において暗号化機能がＯＮ設定となっていれば、内蔵メモリ２６に保存されているデバイスロック機能のＯＮ／ＯＦＦ状態をチェックして、デバイスロック機能がＯＮ設定されているか否かを判別する（ステップＳ３５）。ここで、デバイスロック機能がＯＦＦ設定となっていれば、上記ステップＳ１５に進んでＳＴＯＰモードに移行する。また、デバイスロック機能がＯＮ設定となっていれば、上記ステップＳ３４に進んで暗号化機能を有効とした後、デバイスロックパスワードの入力又は指紋スキャン待ちとなる。
【００９６】
以降のステップＳ２０乃至ステップＳ３０の処理は、上記第１実施形態で説明した通りである。
【００９７】
このように、本第２実施形態においても、デバイスロック機能が有効とされた状態で電源が投入された際は、必ず、暗号化機能が自動的に有効となるように構成したので、デバイスロック機能が有効とされた状態で電源が投入された後に録音された音声データは、常に暗号化されて記録媒体に記録される。そして、その再生には暗号化された音声データの解読が必要となるため、着脱可能なメモリカード１００が音声記録再生装置から抜き取られて他の機器で再生しようとしても、暗号の解読ができず、第三者による録音内容の不正再生を防止することが可能となる。
【００９８】
また、デバイスロック機能に指紋認証を用いることで、非常に高いセキュリティを確保できる。なお、指紋認証機能を用いる場合には、通常の操作スイッチ群２４の操作によるデバイスロック機能の解除が無効となるようにしておけば、更にセキュリティを高めることが可能となる。
【００９９】
また、デバイスロック機能を使用しない場合には、暗号化機能を有効とするか無効とするかをユーザが任意に設定できるので、ユーザの様々な使用法に対応可能である。
【０１００】
［第３実施形態］
次に、本発明の第３実施形態に係る音声記録再生装置について、上記第１実施形態に係る音声記録再生装置と異なる部分のみを説明する。
【０１０１】
本第３実施形態は、指紋認証機能を持たない音声記録再生装置の場合である。即ち、本実施形態に係る音声記録再生装置は、図１及び図２（Ｂ）に示す指紋センサ２３を有していない。その他の構成は、上記第１実施形態と同様である。
【０１０２】
図９は、電源スイッチが投入されて本発明の第３実施形態に係る音声記録再生装置の動作をＯＮとしたときの動作フローチャートを示す図である。同図に示すように、本実施形態においては、上記第１実施形態における図３の指紋認証に係わるステップＳ２６乃至ステップＳ３０を削除し、デバイスロックパスワードの入力又は指紋スキャン待ちのステップＳ１８を、デバイスロックパスワードの入力待ちのステップＳ４１に変更している。
【０１０３】
このように、本第３実施形態においても、デバイスロック機能が有効とされた状態で電源が投入された際は、必ず、暗号化機能が自動的に有効となるように構成したので、デバイスロック機能が有効とされた状態で電源が投入された後に録音された音声データは、常に暗号化されて記録媒体に記録される。そして、その再生には暗号化された音声データの解読が必要となるため、着脱可能なメモリカード１００が音声記録再生装置から抜き取られて他の機器で再生しようとしても、暗号の解読ができず、第三者による録音内容の不正再生を防止することが可能となる。
【０１０４】
また、指紋認証機能を持たないので、記録再生装置を安価に提供できる。
【０１０５】
更に、デバイスロック機能を使用しない場合には、暗号化機能を有効とするか無効とするかをユーザが任意に設定できるので、ユーザの様々な使用法に対応可能である。
【０１０６】
［第４実施形態］
次に、本発明の第４実施形態に係る音声記録再生装置について、上記第２実施形態に係る音声記録再生装置と異なる部分のみを説明する。
【０１０７】
本第４実施形態も上記第３実施形態と同様、指紋認証機能を持たない音声記録再生装置の場合である。即ち、本実施形態に係る音声記録再生装置は、図１及び図２（Ｂ）に示す指紋センサ２３を有していない。その他の構成は、上記第２実施形態と同様である。
【０１０８】
図１０は、電源スイッチが投入されて本発明の第４実施形態に係る音声記録再生装置の動作をＯＮとしたときの動作フローチャートを示す図である。同図に示すように、本実施形態においては、上記第２実施形態における図８の指紋認証に係わるステップＳ２６乃至ステップＳ３０を削除し、デバイスロックパスワードの入力又は指紋スキャン待ちのステップＳ１８を、デバイスロックパスワードの入力待ちのステップＳ４１に変更している。
【０１０９】
このように、本第４実施形態においても、デバイスロック機能が有効とされた状態で電源が投入された際は、必ず、暗号化機能が自動的に有効となるように構成したので、デバイスロック機能が有効とされた状態で電源が投入された後に録音された音声データは、常に暗号化されて記録媒体に記録される。そして、その再生には暗号化された音声データの解読が必要となるため、着脱可能なメモリカード１００が音声記録再生装置から抜き取られて他の機器で再生しようとしても、暗号の解読ができず、第三者による録音内容の不正再生を防止することが可能となる。
【０１１０】
また、指紋認証機能を持たないので、記録再生装置を安価に提供できる。
【０１１１】
更に、デバイスロック機能を使用しない場合には、暗号化機能を有効とするか無効とするかをユーザが任意に設定できるので、ユーザの様々な使用法に対応可能である。
【０１１２】
以上実施形態に基づいて本発明を説明したが、本発明は上述した実施形態に限定されるものではなく、本発明の要旨の範囲内で種々の変形や応用が可能なことは勿論である。
【０１１３】
例えば、暗号化及びその解除のキーとなる暗号化パスワードとして、ユーザの指紋パターンを使用するようにしても良い。
【図面の簡単な説明】
【０１１４】
【図１】図１は、本発明の第１実施形態に係る音声記録再生装置の構成を示すブロック図である。
【図２】図２（Ａ）は、第１実施形態に係る音声記録再生装置の外観を斜め前方から見た図であり、図２（Ｂ）は、斜め後方から見た図である。
【図３】図３は、電源スイッチが投入されて音声記録再生装置の動作をＯＮとしたときの動作フローチャートを示す図である。
【図４】図４（Ａ）は、ＳＴＯＰモードでの動作フローチャートを示す図であり、図４（Ｂ）は、ＭＥＮＵ処理の動作フローチャートを示す図である。
【図５】図５（Ａ）は、デバイスロック設定処理の動作フローチャートを示す図であり、図５（Ｂ）は、暗号化設定処理の動作フローチャートを示す図である。
【図６】図６は、ＲＥＣ処理の動作フローチャートを示す図である。
【図７】図７は、ＰＬＡＹ処理の動作フローチャートを示す図である。
【図８】図８は、電源スイッチが投入されて本発明の第２実施形態に係る音声記録再生装置の動作をＯＮとしたときの動作フローチャートを示す図である。
【図９】図９は、電源スイッチが投入されて本発明の第３実施形態に係る音声記録再生装置の動作をＯＮとしたときの動作フローチャートを示す図である。
【図１０】図１０は、電源スイッチが投入されて本発明の第４実施形態に係る音声記録再生装置の動作をＯＮとしたときの動作フローチャートを示す図である。
【符号の説明】
【０１１５】
１１…内蔵マイク、  １２…マイクジャック、  １３…入力切換スイッチ、  １４…プリアンプ、  １５…ＣＰＵ、  １６…コーデック、  １６Ａ…入力アンプ、  １６Ｂ…Ａ／Ｄコンバータ、  １６Ｃ…オーディオＩ／Ｆ、  １６Ｄ…Ｄ／Ａコンバータ、  １６Ｅ，１６Ｆ…出力アンプ、  １７…デジタル信号処理部（ＤＳＰ）、  １７Ａ…暗号化部、  １８…カードコネクタ、  １９…イヤホンジャック、  ２０…スピーカ、  ２１…表示部、  ２１Ａ…表示窓、  ２１Ｂ…インジケータＬＥＤ、  ２２…ＵＳＢコントローラ、  ２３…指紋センサ、  ２４…操作スイッチ群、  ２４Ａ…新規ファイル作成釦、  ２４Ｂ…ＯＫ釦／ＭＥＮＵ釦、  ２４Ｃ…上釦／音量アップ釦、  ２４Ｄ…下釦／音量ダウン釦、  ２４Ｅ…左釦／早戻し釦、  ２４Ｆ…右釦／早送り釦、  ２４Ｇ…消去釦、  ２４Ｈ…Ｆ１釦、  ２４Ｉ…Ｆ２釦、  ２４Ｊ…Ｆ３釦、  ２４Ｋ…スライドスイッチ、  ２４Ｌ…電源スイッチ、  ２５…電源回路、  ２６…内蔵メモリ、  ２７…メモリカードスロット、  ２８…電池蓋、  ２９…電池蓋リリース釦、  １００…メモリカード。
【図１】
2010026785.tif 000003
【図２】
2010026785.tif 000004
【図３】
2010026785.tif 000005
【図４】
2010026785.tif 000006
【図５】
2010026785.tif 000007
【図６】
2010026785.tif 000008
【図７】
2010026785.tif 000009
【図８】
2010026785.tif 000010
【図９】
2010026785.tif 000011
【図１０】
2010026785.tif 000012